(57)【要約】【課題】  ワークへの保護フィルムの貼付けを高能率で行うことのできるラミネート装置を提供する。【解決手段】  テープ状の保護フィルムＦの先端を所定位置まで送り込むフィルム送込み機構１と、所定位置まで送り込まれた保護フィルムＦを外周面に吸着保持して回転作動する転写ドラム２と、転写ローラ２に吸着保持されて巻き取られた保護フィルムＦを所定長さの保護フィルム片ｆに切断するフィルム切断機構３と、ワークｗを転写ドラム２に対して外周面接線方向に相対移動させて転写ドラム２に吸着保持された保護フィルム片ｆをワークｗの表面に貼付け転写するワーク移送機構１と、を備えてある。【選択図】        図１
2007002127.tif 000002
【特許請求の範囲】
【請求項１】
テープ状の保護フィルムの先端を所定位置まで送り込むフィルム送込み機構と、
所定位置まで送り込まれた保護フィルムを外周面に吸着保持して回転作動する転写ドラムと、
転写ドラムに吸着保持されて巻き取られた保護フィルムを所定長さの保護フィルム片に切断するフィルム切断機構と、
ワークを転写ドラムの外周面に押圧した状態で、回転駆動される転写ドラムの周速度と同調した速度でドラム接線方向に相対移動させて、転写ドラムに吸着保持された保護フィルム片をワークの表面に貼付け転写するワーク移送機構と
を備えてあることを特徴とするラミネート装置。
【請求項２】
前記フィルム送込み機構を、前記保護フィルムを吸着保持する吸着ブロックを所定ストロークで往復作動させるよう構成してある請求項１記載のラミネート装置。
【請求項３】
前記転写ドラムの外周面の所定位相に、前記フィルム送込み機構よって供給された保護フィルムの先端を吸着保持するフィルム吸着部を備えてある請求項１または２記載のラミネート装置。
【発明の詳細な説明】
【技術分野】
【０００１】
本発明は、携帯電話器用の液晶モジュールや各種電気機器のタッチパネル等の小型の表示パネル製品を出荷する際に、パネル表面に透明の保護フィルムを貼付けてゆくラミネート装置に関する。
【背景技術】
【０００２】
従来、上記保護フィルムの貼付けは手作業によっており、所定寸法に裁断されて剥離紙に貼付け保持された保護フィルムを１枚づつめくり取ってワーク（表示パネル製品）の表面に位置合わせして貼付けるようにしていた。また、所定長さに切断したフィルムを吸着搬送して仮圧着ロールに受け渡し、この仮圧着ロールを介してワーク（プリント基板）にフィルムを貼り付ける装置も提案されている（例えば、特許文献１参照）。
【特許文献１】特開２００３−２０６４５０
【発明の開示】
【発明が解決しようとする課題】
【０００３】
従って、この保護フィルムの貼付け作業には多大な時間と多くの作業人員を必要としており作業効率の向上が望まれている。また、フィルムを切断して仮圧着ロールへ搬送する機構を備えたラミネート装置では、装置が大掛かりになるという難点がある。
【０００４】
本発明はこのような実情に着目してなされたものであって、ワークへの保護フィルムの貼付けを高能率で、かつ比較的簡単な構成で行うことのできるラミネート装置を提供することを目的としている。
【課題を解決するための手段】
【０００５】
第１の発明は、テープ状の保護フィルムの先端を所定位置まで送り込むフィルム送込み機構と、所定位置まで送り込まれた保護フィルムを外周面に吸着保持して回転作動する転写ドラムと、転写ドラムに吸着保持されて巻き取られた保護フィルムを所定長さの保護フィルム片に切断するフィルム切断機構と、ワークを転写ドラムの外周面に押圧した状態で、回転駆動される転写ドラムの周速度と同調した速度でドラム接線方向に相対移動させて、転写ドラムに吸着保持された保護フィルム片をワークの表面に貼付け転写するワーク移送機構とを備えてあることを特徴とする。
【０００６】
この構成によると、フィルム送込み機構によって所定位置まで送り込まれた保護フィルムを転写ドラムの外周面に吸着保持して巻き付けた後、保護フィルムをフィルム切断機構によって所定長さの保護フィルム片に切断し、転写ドラムの外周面に吸着保持された保護フィルム片にワーク移送機構で搬入されてきたワークを押圧接触させ、転写ドラムの周速度と同調した速度でドラム接線方向に相対移動させて、保護フィルム片を転写ドラムからワークの表面に転写貼付けることができ、この工程を順次繰り返すことで、ワークへの保護フィルムの貼付けを連続的に能率よく行うことが可能となる。また、転写ドラムに保護フィルムを巻き付けた後に、保護フィルムを所定長さに切断しているので、予め切断した保護フィルムを転写ドラムに搬送するような搬送機構が不要であり、ラミネート装置を簡単に構成することができる。
【０００７】
第２の発明は、上記第１の発明において、
前記フィルム送り込み機構を、前記保護フィルムを吸着保持する吸着ブロックを所定ストロークで往復作動させるよう構成してある。
【０００８】
この構成によると、保護フィルムが薄くて柔軟であっても吸着ブロックに保持されることでその姿勢が安定し、転写ドラムの所定位置への送り込みが確実に行える。
【０００９】
第３の発明は、上記第１または第２の発明において、
前記転写ドラムの外周面の所定位相に、前記フィルム送込み機構よって供給された保護フィルムの先端を吸着保持するフィルム吸着部を備えてある。
【００１０】
この構成によると、保護フィルムの先端を吸着保持した状態で転写ドラムに保護フィルムを巻き付けてゆくので、保護フィルムをしわや波うちが発生するようなことなく転写ドラムに巻き付けることができ、後のワークへの転写仕上がりが良好なものとなる。
【発明の効果】
【００１１】
このように、本発明のラミネート装置によると、ワークへの保護フィルムの貼付けを高能率で、かつ比較的に簡単な構成によって行うことのできる。
【発明を実施するための最良の形態】
【００１２】
図１に、本発明に係るラミネート装置全体の基本構成が示されている。このラミネート装置は、フィルム送込み機構１、転写ドラム２、フィルム切断機構３、および、ワーク移送機構４とで構成されている。
【００１３】
前記フィルム送込み機構１は、原反フィルムロールＦＲから繰出された保護フィルムＦを所定の経路に沿って案内供給するガイドローラ５と、上方向きに案内供給されてきた保護フィルムＦをその表面側から吸着保持する真空吸着孔６を備えた吸着ブロッ７と、この吸着ブロック７を所定のストロークで上下に往復直線移動させるエアーシリンダ８とを備えている。
【００１４】
前記転写ドラム２はフィルム送込み機構１の上方において横向き水平に支架されている。この転写ドラム２はステッピングモータ１０で回転制御されるようになっている。転写ドラム２の外周面には、所定位相の箇所に真空吸着孔１１を横一列状に配列してなるフィルム吸着部１２が形成されており、また、他の外周面にも図示しない複数の真空吸着孔が形成されて保護フィルムを面状態で吸着保持できるようになっている。さらに、転写ドラム２の外周面と、前記フィルム送込み機構１によるフィルム移動径路とが接するように配備されている。なお、転写ドラム２への保護フィルムの吸着は、真空吸着に限らず、静電吸着を利用してもよい。
【００１５】
前記フィルム切断機構３はフィルム送込み機構１の直上位置に配備されており、鉛直姿勢の保護フィルムＦを表面側から吸着保持する真空吸着孔１３を備えた受台１４と、この受台１４で吸着保持された保護フィルムＦに貼付け面側から作用するカッタ１５とが備えられている。ここで、受台１４は、エアーシリンダ１６によって横方向に移動して、保護フィルムＦの前面に位置する作用位置と、これから横方向に外れた退避位置との間で往復移動可能となっており、また、カッタ１５はエアーシリンダ１７によって進退駆動されるようになっている。
【００１６】
前記ワーク移送機構４は転写ローラ２の上方に配備されており、直線ガイド２１に沿って前後に水平移動可能に支持されたキャリア２２、このキャリア２２を連結して前後水平に巻回されたノンスリップ型の移送ベルト２３、移送ベルト２３を正逆回動させるステッピングモータ２４が備えられている。前記キャリア２２にはエアーシリン２５によって昇降される可動枠２６が備えられ、この可動枠２６に複数の吸着ノズル２７が下向きに装備されている。なお、吸着ノズ２７は、一定以上の上向き外力を受けるとバネ２８に抗して上方にスライド後退するよう支持されている（図２参照）。
【００１７】
本発明に係るラミネート装置は以上のような構造を備えており、次にそのフィルム貼付け作動を図２〜図８の工程図に基づいて説明する。
【００１８】
（１）図２に示すように、フィルム送込み機１の吸着ブロック７が下降位置にあって保護フィルムＦの先端部下方を吸着保持している。この場合、保護フィルムＦの先端はフィルム切断機構３の切断位置に相当しており、保護フィルムＦが吸着ブロック７の上端から設定長さだけ突出されている。また、この時、転写ドラム２のフィルム吸着部１２が正面の原点位置ａにセットされるとともに、フィルム切断機構３の受台１４およびカッタ１５はそれぞれ退避位置で待機している。
【００１９】
（２）次に、図３に示すように、吸着ブロック７が下降位置から所定距離だけ上昇され、保護フィルムＦの先端が転写ドラム２の原点位置ａまで送り込まれるとともに、フィルム吸着部１２に負圧が印加されて保護フィルムＦの先端が吸着保持される。
【００２０】
（３）次に、図４に示すように、吸着ブロック７の吸着が解除されて転写ドラム２がフィルム巻取り方向に回転開始される。また、吸着解除した吸着ブロック７は元の位置まで下降する。
【００２１】
（４）図５に示すように、転写ドラム２は保護フィルムＦの切断長さに応じた設定角度だけ回転して停止されるとともに、フィルム切断機構３の受台１４が切断作用位置に進出して保護フィルムＦを表面側から吸着保持する。この状態でカッタ１５が進出作動して保護フィルムＦを切断する。
【００２２】
（５）次に、転写ドラム２が再びフィルム巻取り方向に回転し、切断された所定長さの保護フィルム片ｆを上方に巻き取り移送してゆく。
【００２３】
（６）図６に示すように、転写ドラム２の回転によって保護フィルム片ｆの先端が転写ドラムの直上の貼付け位置ｂに到達すると、転写ドラム２の回転が一旦停止される。また、この間に、ワーク移送機構４においては、ワーク供給位置Lでワークｗがフィルム貼付け面である表面を下向きにした水平姿勢で吸着保持されて転写ドラム２の上方に搬送される。
【００２４】
（７）次に、図７に示すように、ワークｗの先端が保護フィルム片ｆの先端に位置合わせされて可動枠２６が下降され、ワークｗの下面（表面）先端が保護フィルム片ｆの先端に適度の力で弾性的に押圧接触される。また、これと同時にフィルム吸着部１２の吸着が解除される。
【００２５】
（８）次に、図８に示すように、転写ドラム２が再び巻取り方向に回転されるとともに、その周速度と同期する速度でキャリア２２が前進移動され、保護フィルム片ｆがワークｗの下面に連続して転写されてゆく。
【００２６】
（９）転写が終了すると、転写ドラム２は更に回転してフィルム吸着部１２が原点位置ａまで移動される。また、保護フィルム片ｆが貼付けられたワークｗは更に前方の回収位置ULにまで送られて回収され、空になったキャリア２２は上昇されて後方のワーク供給部Lまで復帰移動され、新しいワークｗの供給を受ける。
【００２７】
以上で１回の貼付け作動が終了し、以下、上記作動を順次繰り返してゆく。
【００２８】
なお、ワークｗの寸法（長さ）に対応して上記工程（４），（５）におけるフィルム切断位置を調整することになる。
【００２９】
〔別実施例〕
【００３０】
本発明は以下のような形態で実施することもできる。
【００３１】
（１）保護フィルムＦの先端を転写ドラム２の外周に供給するフィルム送込み機構１としては、上記のように所定ストロークで往復作動する吸着ブロック７を利用する形態の他に、回転制御される送りローラと挟持ローラで保護フィルムＦを挟んで送り出す形態で実施することも可能である。
【００３２】
（２）転写ドラム２の外周の複数位相にフィルム吸着部１２を備えて、転写ドラムの１回転で複数回のフィルム転写貼付けを行うことも可能である。
【００３３】
（３）上記のように転写ドラムの１回転で複数回のフィルム転写貼付けを行う場合、ワーク移送機構１に循環移動する複数のキャリア２２を備えて、ワーク供給サイクルの短縮化を図るとよい。
【００３４】
（４）ワークｗの上面に電子部品などが装備されていて吸着保持不能な場合には、ワーク移送機構１における吸着ノズル２７に代えて開閉爪式のチャック機構を利用するとよい。
【００３５】
（５）フィルム切断機構３を、ナイフ型あるいは円板型のカッタを受台１４に沿って横方向に走査して保護フィルムＦを切断する形態で実施することもできる。
【００３６】
（６）フィルム転写工程において、ワークｗを押圧位置で固定して転写ドラム２を回転させながらその回転周速度と同速度で水平移動させることも可能である。
【００３７】
（７）上記実施例では、保護フィルムＦを直接に送り込んで切断転写する形態としているが、保護フィルムＦを剥離紙に貼付け保持した状態でフィルム送込み機構１に供給し、ここで剥離紙を剥離除去して保護フィルムＦだけを転写ドラム２に送り込んで切断することも可能である。
【図面の簡単な説明】
【００３８】
【図１】本発明のラミネート装置の全体構成を示す斜視図である。
【図２】フィルム貼付け工程の説明図である。
【図３】フィルム貼付け工程の説明図である。
【図４】フィルム貼付け工程の説明図である。
【図５】フィルム貼付け工程の説明図である。
【図６】フィルム貼付け工程の説明図である。
【図７】フィルム貼付け工程の説明図である。
【図８】フィルム貼付け工程の説明図である。
【符号の説明】
【００３９】
１                フィルム送込み機構
２                転写ドラム
３                フィルム切断機構
４                ワーク移送機構
７                吸着ブロック
１２              フィルム吸着部
Ｆ                保護フィルム
ｆ                保護フィルム片
ｗ                ワーク
【図１】
2007002127.tif 000003
【図２】
2007002127.tif 000004
【図３】
2007002127.tif 000005
【図４】
2007002127.tif 000006
【図５】
2007002127.tif 000007
【図６】
2007002127.tif 000008
【図７】
2007002127.tif 000009
【図８】
2007002127.tif 000010